(57)【要約】      （修正有）【課題】高圧空気を清潔剤と混合して泡沫を発生し、車両や床或いは門窓ガラスを洗うように用いることができ、且つ、構造が簡易化され制御便利な泡沫発生装置が構成できる。【解決手段】管路に接続される送水モータ１１と、清潔剤を収納する容器４が外接される管路１２とを有する清潔剤送りユニット１と、第１電磁弁２１及び第２電磁弁２３を有する比例混合ユニット２とを含み、前記第１電磁弁及び第２電磁弁が他一つの管路２５に設けられ、前記比例混合ユニットの管路２５が、清潔剤送りユニットの管路１３に接続され、且つ前記比例混合ユニットの管路には空気圧縮機５が外接されることを含む泡沫発生装置。【選択図】図５
0003118397.tif 000002
【実用新案登録請求の範囲】
【請求項１】
送水モータと管路とを含み、前記管路に接続される送水モータと、清潔剤を収納する容器が外接される管路とを有する清潔剤送りユニットと、
第１電磁弁及び第２電磁弁を有する比例混合ユニットとを含み、前記第１電磁弁及び第２電磁弁が他一つの管路に設けられ、前記比例混合ユニットの管路が、清潔剤送りユニットの管路に接続され、且つ前記比例混合ユニットの管路には空気圧縮機が外接されることを特徴とする泡沫発生装置。
【請求項２】
請求項１記載の泡沫発生装置において、清潔剤送りユニットの管路が、第１管路と第２管路とを含み、前記第１管路の一端が、前記送水モータの入力端に接続し、前記第２管路の一端が、前記送水モータの出力端に接続し、前記第１管路の他一端が前記容器に接続し、前記第１管路において容器に隣接する箇所に容器スイッチが設けられることを特徴とする、泡沫発生装置。
【請求項３】
請求項２記載の泡沫発生装置において、第１管路と第２管路の間に第３管路が接続され、前記第３管路には制御スイッチが設けられ、前記第２管路には逆止弁が接続されることを特徴とする、泡沫発生装置。
【請求項４】
請求項１記載の泡沫発生装置において、清潔剤送りユニットが、さらに、圧力表及び圧力表スイッチを有し、前記圧力表及び圧力表スイッチが、前記清潔剤送りユニットの管路に接続されることを特徴とする、泡沫発生装置。
【請求項５】
請求項１記載の泡沫発生装置において、比例混合ユニットは、さらに、第１スイッチと第２スイッチとを含み、前記第１電磁弁と第１スイッチが、第４管路に設けられ、前記第２電磁弁と第２スイッチが、第５管路に設けられ、該第４管路の一端が、前記清潔剤送りユニットの管路に接続され、前記第５管路の一端が、空気圧縮機に外接され、前記第４管路及び第５管路の他一端には、泡沫送り管路が接続され、前記泡沫送り管路には泡沫スイッチが設置され、前記第２電磁弁と空気圧縮機との間の第５管路に、減圧弁と逆止弁が設けられることを特徴とする、泡沫発生装置。
【請求項６】
請求項１記載の泡沫発生装置において、機体が設けられ、前記機体内に収納空間が形成され、前記清潔剤送りユニットと比例混合ユニットが、前記収納空間内に設置されることを特徴とする、泡沫発生装置。
【考案の詳細な説明】
【技術分野】
【０００１】
本考案は、泡沫発生装置に係わり、特に、高圧空気と清潔剤とを混合して泡沫を発生し、物品洗いに用いられる泡沫発生装置を指すものである。
【背景技術】
【０００２】
一般に、車両や床或いは門・窓ガラスを洗う時に、清潔剤で泡沫を発生することが多い、従来では、泡沫が人工で攪拌してから発生し、時間をかかるだけでなく人力も費やす。そのため、従来の発泡機がそれに応じて現れ、気圧の方式で泡沫を発生することができる。
【０００３】
１９９８年１１月１日に公告された特許文献１の『気圧式発泡機の構造改良』には、従来の発泡機（圧力シリンダーとも称する）が掲示されている。図１及び図２に示されるように、従来の発泡機８は、主に、本体８１と、吸気弁８２と、減圧弁８３と、排出弁８４と、供給弁８５と、安全バルブ８６と、圧力表８７と、液面パイプ８８などより構成され、本体８１がステンレス製の気密な筒体であり、その天井中央には本体８１に連通するガイドパイプ８９が設けられ、一端には継ぎ管９０が設けられ、他一端が排出口９１であり、継ぎ管９０の一端には減圧弁８３が接続され、減圧弁８３の他一端に吸気弁８２が接続され、吸気弁８２の他一端に継手９２が設けられ、また、ガイドパイプ８９内に、泡沫発生室９３と本体８１の底部までに深く入る排出管９４が設置され、排出管９４の他一端がガイドパイプ８９の排出口９１から伸び出すことができ、また排出弁８４に接続し、且つ排出弁８４の他一端には継手９５が設けられ、ガイドパイプ８９の天井部に圧力表８７が設けられ、また、本体８１の天井端、即ち、ガイドパイプ８９の両側に本体８１に連通する供給弁８５と安全バルブ８６が設けられる。また、本体８１の一方側に液面パイプ８８が設けられ、他一方側にはグリップ９６が設けられ、底部にはホイール９７及び脚９８が設けられることを特徴とし、前記各部材の組合によって、空気圧縮機で空気を本体８１内に圧入し、加圧された空気により清潔剤９９と混合して泡沫を発生し、また、本体８１内の圧力より、泡沫を発生した清潔剤を本体８１内から噴出させ、クリーンに用いる。
【０００４】
【特許文献１】台湾特許第３４４３０９号
【０００５】
しかし、前記従来の発泡機は、その本体８１上に吸気弁８２と、減圧弁８３と、排出弁８４と、供給弁８５と、安全バルブ８６と、圧力表８７と、液面パイプ８８と、ガイドパイプ８９と、継ぎ管９０と、排出口９１と、泡沫発生室９３と、排出管９４などの部材が設置される必要があり、その全体構造が極めて複雑になり、組み立てが不便、且つ制御が複雑で、生産上及び使用上の不便になってしまう。
【考案の開示】
【考案が解決しようとする課題】
【０００６】
本考案の主な目的は、構造が簡易化され、且つ制御が便利になり、生産及び使用し易い泡沫発生装置を提供する。
【０００７】
前記目的を達成するために、本考案は、送水モータと管路とを含み、前記管路に接続される送水モータと、清潔剤を収納する容器が外接される管路とを有する清潔剤送りユニットと、第１電磁弁及び第２電磁弁を有する比例混合ユニットとを含み、前記第１電磁弁及び第２電磁弁が他一つの管路に設けられ、前記比例混合ユニットの管路が、清潔剤送りユニットの管路に接続され、且つ前記比例混合ユニットの管路には空気圧縮機が外接されることを含む泡沫発生装置を提供する。
【課題を解決するための手段】
【０００８】
請求項１の考案は、送水モータと管路とを含み、前記管路に接続される送水モータと、清潔剤を収納する容器が外接される管路とを有する清潔剤送りユニットと、
第１電磁弁及び第２電磁弁を有する比例混合ユニットとを含み、前記第１電磁弁及び第２電磁弁が他一つの管路に設けられ、前記比例混合ユニットの管路が、清潔剤送りユニットの管路に接続され、且つ前記比例混合ユニットの管路には空気圧縮機が外接されることを特徴とする泡沫発生装置としている。
請求項２の考案は、請求項１記載の泡沫発生装置において、清潔剤送りユニットの管路が、第１管路と第２管路とを含み、前記第１管路の一端が、前記送水モータの入力端に接続し、前記第２管路の一端が、前記送水モータの出力端に接続し、前記第１管路の他一端が前記容器に接続し、前記第１管路において容器に隣接する箇所に容器スイッチが設けられることを特徴とする、泡沫発生装置としている。
請求項３の考案は、請求項２記載の泡沫発生装置において、第１管路と第２管路の間に第３管路が接続され、前記第３管路には制御スイッチが設けられ、前記第２管路には逆止弁が接続されることを特徴とする、泡沫発生装置としている。
請求項４の考案は、請求項１記載の泡沫発生装置において、清潔剤送りユニットが、さらに、圧力表及び圧力表スイッチを有し、前記圧力表及び圧力表スイッチが、前記清潔剤送りユニットの管路に接続されることを特徴とする、泡沫発生装置としている。
請求項５の考案は、請求項１記載の泡沫発生装置において、比例混合ユニットは、さらに、第１スイッチと第２スイッチとを含み、前記第１電磁弁と第１スイッチが、第４管路に設けられ、前記第２電磁弁と第２スイッチが、第５管路に設けられ、該第４管路の一端が、前記清潔剤送りユニットの管路に接続され、前記第５管路の一端が、空気圧縮機に外接され、前記第４管路及び第５管路の他一端には、泡沫送り管路が接続され、前記泡沫送り管路には泡沫スイッチが設置され、前記第２電磁弁と空気圧縮機との間の第５管路に、減圧弁と逆止弁が設けられることを特徴とする、泡沫発生装置としている。
請求項６の考案は、請求項１記載の泡沫発生装置において、機体が設けられ、前記機体内に収納空間が形成され、前記清潔剤送りユニットと比例混合ユニットが、前記収納空間内に設置されることを特徴とする、泡沫発生装置としている。
【考案の効果】
【０００９】
本考案の主な目的は、構造が簡易化され、且つ制御が便利になり、生産及び使用し易い泡沫発生装置を提供する。
【考案を実施するための最良の形態】
【００１０】
図３〜図５を参照すると、本考案は、清潔剤送りユニット１と比例混合ユニット２とを含む泡沫発生装置を提供し、本実施例では、該清潔剤送りユニット１と比例混合ユニット２が、機体３内に設置され、該機体３が中空ケースであって、その内部に収納空間３１が形成され、清潔剤送りユニット１と比例混合ユニット２を収納でき、該収納空間３１の前側には開口状に形成され、門板３２が樞接され、収納空間３１の前側の開口を閉じることができる。
【００１１】
該清潔剤送りユニット１が、送水モータ１１と、第１管路１２と、第２管路１３とを含み、第１管路１２の一端が、送水モータ１１の入力端に接続し、第２管路１３の一端が、送水モータ１１の出力端に接続し、これらの管路１２、１３が清潔剤を輸送することができる。該第１管路１２の他一端が、清潔剤を収納する容器４に外接し、該容器４が、水タンクなどの装置であり、容器４が適当な管路で水道水と接続し、水道水を導入し該容器４内に蓄積され、薬剤を水中に添加し、清潔剤を形成できる。該第１管路１２において容器４に隣接する箇所に容器スイッチ４１が設けられ、該容器スイッチ４１がオンされ、且つ送水モータ１１が起動される時に、容器４内の清潔剤が送水モータ１１により第１管路１２、第２管路１３を順次に経て比例混合ユニット２に輸送される。
【００１２】
該第１管路１２と第２管路１３の間に第３管路１４が直接に接続することもでき、且つ、該第３管路１４には制御スイッチ１５が設けられ、圧力を調整できる。該第２管路１３には圧力表１６が接続され、また、圧力表１６と第２管路１３の間に圧力表スイッチ１７が設けられ、該圧力表スイッチ１７がオンされると、圧力表１６が、送水モータ１１が送り出す清潔剤の水圧を表示することができる。清潔剤の逆流を阻止するため、該第２管路１３には、さらに、逆止弁１８が接続される。
【００１３】
該比例混合ユニット２は、第１電磁弁２１と、第１スイッチ２２と、第２電磁弁２３と、第２スイッチ２４とを含み、該第１電磁弁２１と第１スイッチ２２が、第４管路２５に設けられ、該第２電磁弁２３と第２スイッチ２４が、第５管路２６に設けられ、第４管路２５と第５管路２６が、清潔剤及び高圧空気を夫々輸送するものである。該第１電磁弁２１と第１スイッチ２２が、清潔剤の輸送を制御でき、該第２電磁弁２３と第２スイッチ２４が、高圧空気の輸送を制御できる。該第４管路２５の一端が、第２管路１３に接続され、第１管路１２と送水モータ１１と第２管路１３から輸送された清潔剤を受けることができる。
【００１４】
第５管路２６の一端が、空気圧縮機５に外接され、第２電磁弁２３と空気圧縮機５との間の第５管路２６に、減圧弁５１と逆止弁５２が設けられ、該空気圧縮機５が起動される時に、高圧空気を第５管路２６に介して泡沫送り管路２７に輸送され、該減圧弁５１と逆止弁５２が、夫々、空気圧縮機５が放出した高圧空気の圧力の大きさを調整し、並びに空気の逆流を防止する。該第４管路２５及び第５管路２６の他一端には、泡沫送り管路２７が接続され、該泡沫送り管路２７には泡沫スイッチ２８が設置され、上記のような構成にして、本考案の泡沫発生装置を形成する。
【００１５】
本考案の送水モータ１１、第１電磁弁２１及び第２電磁弁２３が、同時に起動、オンされる時に、清潔剤が該清潔剤送りユニット１の第１管路１２、第２管路１３を順次に経て比例混合ユニット２の第４管路２５に輸送されると共に、高圧空気を比例混合ユニット２の第５管路２６に経て第４管路２５に接続する箇所に輸送され、高圧空気を第４管路２５から輸送された清潔剤と混合させ泡沫を発生し、その後、泡沫送り管路２７及び泡沫スイッチ２８を介して泡沫を送り出し、車両や床或いは門窓ガラスを洗うように用いることができる。
【００１６】
本考案は、清潔剤送りユニット１と比例混合ユニット２で泡沫発生装置を構成し、特に、該清潔剤送りユニット１が、送水モータ１１より清潔剤をポンピングする機能を達成し、構造を大幅に簡易化させ、且つ制御が便利になり、生産及び使用が簡単にできる。また、本考案は、より多い物品を同時に洗えるように、一組の清潔剤送りユニット１で多数組の比例混合ユニット２に接続し、複数の泡沫発生装置を形成することもできる。 
【図面の簡単な説明】
【００１７】
【図１】従来の泡沫発生装置の分解斜視図である。
【図２】従来の泡沫発生装置の断面図である。
【図３】本考案の斜視図である。
【図４】本考案の平面図である。
【図５】本考案の回路図である。
【符号の説明】
【００１８】
１      清潔剤送りユニット
２      比例混合ユニット
３      機体
４      容器
５      空気圧縮機
１１    送水モータ
１２    第１管路
１３    第２管路
１４    第３管路
１５    制御スイッチ
１６    圧力表
１７    圧力表スイッチ
１８    逆止弁
２１    第１電磁弁
２２    第１スイッチ
２３    第２電磁弁
２４    第１スイッチ
２５    第４管路
２６    第５管路
２７    泡沫送り管路
２８    泡沫スイッチ
３１    収納空間
３２    門板
４１    容器スイッチ
５１    減圧弁
５２    逆止弁
８      発泡機
８１    本体
８２    吸気弁
８３    減圧弁
８４    排出弁
８５    供給弁
８６    安全バルブ
８７    圧力表
８８    液面パイプ
８９    ガイドパイプ
９０    継ぎ管
９１    排出口
９２    継手
９３    泡沫発生室
９４    排出管
９５    継手
９６    グリップ
９７    ホイール
９８    脚
９９    清潔剤
【図１】
0003118397.tif 000003
【図２】
0003118397.tif 000004
【図３】
0003118397.tif 000005
【図４】
0003118397.tif 000006
【図５】
0003118397.tif 000007